(57)【要約】  本発明は、回転制御される磁気記録媒体と、その磁気記録媒体の半径方向に移動可能であって記録電流に応じてその磁気記録媒体に情報を記録する磁気記録ヘッドとを備えた磁気記録装置、その磁気記録ヘッドに記録電流を供給するライトアンプを備えた磁気記録回路、およびその磁気記録装置における情報記録方法に関し、サイドイレーズやクロストークを抑えつつオーバライト特性の改善を図ることを目的とし、磁気記録媒体への情報の書き込みに際し、回転する磁気記録媒体と磁気記録ヘッドの相対速度が大きいほど記録電流の上昇速度が大きくなるように、記録電流の上昇を制御する。
2008126194.tif 000002
【特許請求の範囲】
【請求項１】
磁気記録ヘッドに記録電流を供給し、情報に応じて該記録電流の方向を切替えるライトアンプと、前記記録電流の上昇速度を調整する制御回路とを有することを特徴とする磁気記録回路。
【請求項２】
情報を磁気的に記憶し、回転制御される磁気記録媒体と、
記録電流に応じて前記磁気記録媒体に情報を磁気的に記録し、前記磁気記録媒体の半径方向に移動可能な磁気記録ヘッドと、
前記記録電流の上昇速度を調整する制御部とを有することを特徴とする磁気記録装置。
【請求項３】
前記制御部は、
前記磁気記録ヘッドが前記磁気記録媒体の内周にある場合には前記記録電流の上昇速度を小さくし、
前記磁気記録ヘッドが前記磁気記録媒体の外周にある場合には前記記録電流の上昇速度を大きくすることを特徴とする請求項２記載の磁気記録装置。
【請求項４】
情報を磁気的に記憶し、回転制御される磁気記録媒体と、記録電流に応じて前記磁気記録媒体に情報を磁気的に記録し、前記磁気記録媒体の半径方向に移動可能な磁気記録ヘッドとを備えた磁気記録装置における情報記録方法であって、
前記記録電流の上昇速度を調整することを特徴とする情報記録方法。
【請求項５】
前記磁気記録ヘッドが前記磁気記録媒体の内周にある場合には前記記録電流の上昇速度を小さくし、
前記磁気記録ヘッドが前記磁気記録媒体の外周にある場合には前記記録電流の上昇速度を大きくすることを特徴とする請求項４記載の情報記録方法。
【発明の詳細な説明】
【技術分野】
【０００１】
本発明は、回転制御される磁気記録媒体と、記録電流に応じてその磁気記録媒体に情報を記録する磁気記録ヘッドとを備えた磁気記録装置、その磁気記録ヘッドに記録電流を供給する磁気記録回路、およびその磁気記録装置における情報記録方法に関する。
【背景技術】
【０００２】
上記の磁気記録装置は、従来コンピュータの記憶装置として使われてきたが、近年は、例えばビデオカメラ、カーナビゲーションシステム等にも組み込まれるなど、益々その適用分野が広がってきている。【０００３】
図１は、磁気記録装置の一例を示す概略構成図である。【０００４】
この磁気記録装置１０には、図示しないディスクコントロールモータ（ＤＣＭ）によって、回転軸１１を中心に矢印Ａ方向に回転駆動される、ディスク状の磁気記録媒体１２が備えられている。【０００５】
また、この磁気記録装置１０には、磁気記録媒体１２に対向する磁気ヘッド１３（図２参照）を先端部に備え回転軸１４を中心に回動するアーム１５、およびそのアーム１５を回動駆動して磁気ヘッド１３を磁気記録媒体１２の半径方向に移動させるボイスコイルモータ（ＶＣＭ）１６が装備されている。また、この磁気記録装置１０には、装置内の空気を乾燥状態に保つための乾燥剤活性炭ユニット（ＡＤユニット）１７が備えられている。【０００６】
さらに、この磁気記録装置１０には、アンロード時のアーム１５の先端部を保持するランプ１８が備えられている。【０００７】
磁気記録媒体１２への情報の書込み、あるいは磁気記録媒体１２に記憶されている情報の読出しにあたっては、ＤＣＭ１６によって磁気記録媒体１２が回転駆動されている状態においてＶＣＭ１６によってアーム１５が回動駆動され、そのアーム１５が、図１に示す、ランプ１８に保持された状態から外れて、その先端部に備えられている磁気ヘッド１３が磁気記録媒体１２上に移動（ロード）し、さらにその磁気ヘッド１３が磁気記録媒体１２上の所望のトラックに位置決めされて、磁気ヘッド１３によって、磁気記録媒体１２上の所望のトラックに、その磁気記録媒体１２の回転に伴って順次に磁気的に情報が書き込まれ、あるいは順次に磁気的に情報がピックアップされる。磁気記録媒体１２への書込み、あるいは磁気記録媒体１２からの読出しが終了すると、アーム１５が図１に示す位置までアンロードされてランプ１８に保持される。【０００８】
図２は、図１に示すアーム１５の先端部分の概略構造を示す図である。【０００９】
アーム１５は、そのアーム１５の回転軸から延びるキャリッジ１５１と、そのキャリッジ１５１の先端部に後端部が取り付けられてキャリッジ１５１の先端部からさらに延び、先端部に磁気ヘッド１３を備えたサスペンション１５２とを有するものであり、また、磁気ヘッド１３は、サスペンション１５２の先端部に揺動自在に支持されたジンバル１３１と、そのジンバル１３１に支持されたスライダ１３２とを有する。【００１０】
このアーム１５が磁気記録媒体１２の上にロードされると、スライダ１３２がその磁気記録媒体１２から極めて僅かだけ浮上した状態となり、そのスライダ１３２の一部に設けられた、磁気ヘッド１３により、磁気記録媒体１２にデータが書き込まれ、あるいは磁気記録媒体１２からデータが読み出される。【００１１】
図３は、磁気ヘッドを構成する、磁気記録媒体への情報の記録を担当する記録ヘッドの概略構成図、図４は、図３に示す記録ヘッドのコイルに流す記録電流の波形を示す図である。【００１２】
従来より、記録ヘッド１３０には、図３に示すように、ヨーク１３１とコイル１３２とからなるリング型ヘッドが採用されている。【００１３】
コイル１３２に、図４に示すような記録電流が流れ、それによる磁界がヨーク１３１を通り、ギャップ１３３より磁界１３４が図示のように発生し、磁気記録媒体１２を磁化する。従来、図４に示す記録電流波形の電流上昇速度が速いほど、すなわち立ち上がりおよび立ち下がりが急峻なほど、磁気記録媒体上の記録遷移幅が狭くなるとされ、そのため記録電流の設定値Ｉｗとオーバシュート量を変化させて電磁変換特性を測定して、読出し時の信号レベルや、先に記録されている情報を消去する特性の評価値であるオーバライト特性値（Ｏ／Ｗ）が最適値となるように、記録電流の設定値Ｉｗやオーバシュート量を調整している。その結果、記録ヘッドに流す記録電流は、図４に示すように、記録電流の設定値Ｉｗに対してオーバシュート値が２〜３倍も大きなものとなっている。これは、記録密度の向上に伴い、より大きな記録磁界を発生させる必要があるためである。【００１４】
また、磁気記録媒体に記録されている情報の読出しを担当する再生ヘッドに磁気抵抗型が使用される複合型ヘッドの場合、記録ヘッドと再生ヘッドが隣接した位置に別々に構成されているため記録ヘッドは記録専用となっており、このため再生を考慮せずにギャップ長ａを長くし発生磁界がより深く広がるようにしてオーバライト特性を向上させている。このため、このオーバシュートを利用した記録方式の場合、この大きな記録磁界と長いギャップ長ａのため、隣接トラックに漏れ磁界が作用し、隣接トラックに記録されている情報を少しずつ消去してしまうというサイドイレーズ現象が大きく現われてきている。このため、隣接トラックとの間に広い緩衝領域を設けて対応する必要を生じている。この広い緩衝領域を設けることが、半径方向の記録密度であるＴＰＩ（１インチあたりのトラック数）を向上させることに対する大きな阻害要因となっている。また、オーバシュートのピーク時の大きな電流が隣接した位置にある再生ヘッドにクロストークし、再生ヘッドは電圧印加に極めて弱いためこのクロストークが再生ヘッドを劣化させる要因となっている。【００１５】
従来、特許文献１にはオーバシュートの振幅と幅を独立に制御する回路が提案されている。また、特許文献２には、記録電流の立上がり特性を向上させるための回路が提案されている。【００１６】
しかしながら、これらの特許文献１，２には、単に、図４に示す記録電流波形のオーバシュート量の制御や立上がり特性を向上する回路が提案されているにとどまり、記録電流のオーバシュートを下げることによりサイドイレーズや再生ヘッドへのクロストークを抑えつつ、オーバライト特性の改善を図る技術については提案されていない。
【特許文献１】特開２００６−１６４３１２号公報
【特許文献２】特開平１１−２８３２０２号公報
【発明の開示】
【００１７】
本発明は、上記事情に鑑み、サイドイレーズやクロストークを抑えつつオーバライト特性の改善が図られた、磁気記録回路、磁気記録装置、および情報記録方法を提供することを目的とする。
【００１８】
上記目的を達成する磁気記録回路は、磁気記録ヘッドに記録電流を供給し、情報に応じて記録電流の方向を切替えるライトアンプと、記録電流の上昇速度を調整する制御回路とを有することを特徴とする。
【００１９】
また、上記目的を達成する本発明の磁気記録装置は、情報を磁気的に記憶し、回転制御される磁気記録媒体と、
記録電流に応じて磁気記録媒体に情報を磁気的に記録し、磁気記録媒体の半径方向に移動可能な磁気記録ヘッドと、
記録電流の上昇速度を調整する制御部とを備えたことを特徴とする。
【００２０】
ここで、上記制御部は、磁気記録媒体への情報の書き込みに際し、回転する磁気記録媒体と磁気記録ヘッドとの相対速度が大きいほど記録電流の上昇速度が大きくなるように、記録電流の上昇速度を調整するものであることが好ましい。
【００２１】
従来、例えば特許文献２のように、立上がり特性を向上させる回路は提案されているものの、立上がり特性を磁気記録媒体と磁気記録ヘッドとの相対速度に応じて調整することについては、提案されていない。一方、磁気記録媒体を回転させると、一定の回転速度で回転させていても、回転中心に近い側と回転中心から半径方向に離れた側とでは相対速度が異なりオーバライト特性等も異なってくる。
【００２２】
本発明の磁気記録装置によれば、後述する考察結果および電磁変換特性に示すように、この相対速度に応じて記録電流の上昇速度（立上がり速度および立下り速度）を調整することにより、回転する磁気記録媒体の全域にわたって、サイドイレーズやクロストークを抑えつつオーバライト特性が改善される。
【００２３】
ここで、上記本発明の磁気記録装置は、磁気記録媒体が回転していることから、上記制御部では、磁気記録ヘッドが磁気記録媒体の内周にある場合には記録電流の上昇速度を小さくし、磁気記録ヘッドが磁気記録媒体の外周にある場合には記録電流の上昇速度を大きくする調整が行われる。
【００２４】
また、本発明の磁気記録装置において、上記制御部は、回転する磁気記録媒体の磁気記録ヘッドに対面する部分とその磁気記録ヘッドとの相対速度と、磁気記録ヘッドが情報を書き込む際に生じる磁場の磁気記録媒体上の拡大速度とが等しくなるように、記録電流の上昇速度を調整することが好ましい。
【００２５】
こうすることにより、より弱い磁界であっても磁気記録媒体を充分に磁化することが可能となる。
【００２６】
さらに、本発明の磁気記録装置において、上記制御部は、記録電流にオーバシュートを生じさせないように記録電流を調整することが好ましい。
【００２７】
本発明によれば、上記の相対速度に応じて記録電流の立上り特性を調整することから、記録電流にオーバシュートを生じさせずに磁気記録媒体に記録することも可能であり、その場合、サイドイレーズやクロストークを一層良好に抑えることが可能となる。
【００２８】
また、上記目的を達成する本発明の情報記録方法は、情報を磁気的に記憶し、回転制御される磁気記録媒体と、記録電流に応じて磁気記録媒体に情報を磁気的に記録し、磁気記録媒体の半径方向に移動可能な磁気記録ヘッドとを備えた磁気記録装置における情報記録方法であって、記録電流の上昇速度を調整することを特徴とする。
【００２９】
ここで、本発明の情報記録方法において、磁気記録媒体への情報の書き込みに際し、回転する磁気記録媒体と磁気記録ヘッドの相対速度が大きいほど記録電流の上昇速度が大きくなるように、記録電流の上昇速度を調整することが好ましい。
【００３０】
ここで、本発明の情報記録方法において、磁気記録ヘッドが磁気記録媒体の内周にある場合には記録電流の上昇速度を小さくし、磁気記録ヘッドが磁気記録媒体の外周にある場合には記録電流の上昇速度を大きくすることが好ましく、
また、回転する磁気記録媒体の磁気記録ヘッドに対面する部分と磁気記録ヘッドとの相対速度と、磁気記録ヘッドが情報を書き込む際に生じる磁場の磁気記録媒体上の拡大速度とが等しくなるように、記録電流の上昇速度を調整することも好ましい態様である。
【００３１】
さらに、本発明の情報記録方法において、記録電流にオーバシュートを生じさせないように記録電流を制御することも好ましい態様である。
【００３２】
以上の本発明によれば、サイドイレーズやクロストークを抑えつつオーバライト特性が改善される。
【図面の簡単な説明】
【００３３】
【図１】磁気記録装置の一例を示す概略構成図である。
【図２】図１に示すアームの先端部分の概略構造を示す図である。
【図３】磁気ヘッドを構成する、磁気記録媒体への情報の記録を担当する記録ヘッドの概略構成図である。
【図４】図３に示す記録ヘッドのコイルに流す記録電流の波形を示す図である。
【図５】ライトバブルの時間変化の説明図である。
【図６】記録電流波形を示す図である。
【図７】本発明の一実施形態の磁気記録装置の情報記録回路のブロック図である。
【図８】図７にブロックで示すライトアンプ、Ｉｗ電流原およびスルーレート可変回路の回路図である。
【図９】図８に示す回路の動作を示すタイミングチャートである。
【図１０】立上り速度を変化させた記録電流を重ねて示した図である。
【図１１】記録電流の設定値Ｉｗと立上り速度とを変数としたときの、読出しレベルの電磁変換特性を示した図である。
【図１２】記録電流の設定値Ｉｗと立上り速度とを変数としたときのオーバライト特性の電磁変換特性を示した図である。
【発明を実施するための最良の形態】
【００３４】
以下では、先ず、磁気記録媒体と記録ヘッドの相対速度と、記録ヘッドにより発生した磁界の磁気記録媒体への作用との関係について考察し、その後、本発明の実施形態について説明する。【００３５】
図５は、ライトバブルの時間変化の説明図、図６は、記録電流波形を示す図である。【００３６】
磁気記録媒体１２を磁化するのに必要な条件は、磁気記録媒体１２に作用する磁界の強さφとその磁界が作用する時間τとの積で決まることが知られている。したがって時間τを長くできれば磁界の強さφは小さくてもよいことになる。記録ヘッドに、図６に示すような波形の記録電流を流すと、記録ヘッドの、ギャップ長ａを持つギャップ１３３から図５に示す磁界１３４が磁気記録媒体１２に作用する。ここで、図６に示す、記録電流の立ち上がり途中のｂ点では、図５にカーブｂで示す磁界が発生する。このカーブｂのような、磁界が一定の強さの点を結んだカーブをライトバブルと称する。記録電流がさらに増えて図６に示すｃ点に達すると、記録波形が図６に示す点ｂから点ｃに達するまでの間に磁気記録媒体には、図５に矢印で示す方向に移動し、その結果記録ヘッドのギャップ１３３は、相対的に図５に示すギャップ長ａ´の位置に移動するとともに、図６に示す点ｂにおいて発生していた磁界のある一定の強度のカーブ（ライトバブル）ｂと同じ強度の磁界はカーブ（ライトバブル）ｃのように拡大する。このライトバブルの拡大速度は、記録電流の立ち上がり速度に比例して変化する。一方、磁気記録媒体は矢印方向に一定速度で移動している。回転するディスク状の磁気記録媒体では、その移動速度は、回転速度と、記録しようとしているトラックの、回転中心からの半径ｒとで決まる。【００３７】
ここで、この磁気記録媒体１２の移動速度と記録ヘッドからのライトバブルの拡大速度をできるだけ長い時間同じに維持するように設定することにより、磁気記録媒体上の点ｄでは、カーブｂとカーブｃとで同じ強さの磁界が作用している時間τの最大化が図られる。その結果、より弱い磁界φであっても磁気記録媒体を十分に磁化することが可能となる。【００３８】
なお、ライトバブルの拡大速度は、図６に示す記録電流の設定値Ｉｗを代えても若干変化する。すなわちＩｗ値を大きくするとライトバブルの拡大速度も速くなる。しかしながらＩｗ値を変えてライトバブルの拡大速度を十分な範囲で変化させるには、それを実現する回路の高速化の点で限界があり、記録電流の立上がり特性を積極的に制御することが好ましい。【００３９】
以上の考察から、磁気記録媒体と記録ヘッドの相対速度に応じて記録電流の立上がり速度を変化させることにより、磁気記録媒体の全域にわたって上記の時間τの最大化を図ることができ、サイドイレーズやクロストークを低いレベルに抑えつつ、オーバライト特性を向上させることができることが分かる。【００４０】
次に、本発明の実施形態について説明する。本発明の一実施形態としての磁気記録装置の全体構成は、図１，図２に示す従来例のものと同様であり、ここでは、全体構成についての重複説明は省略し、本実施形態の磁気記録装置に特有の回路構成部分について説明する。また、この磁気記録装置の動作について説明することで、本発明の情報記録方法の一実施形態についての説明を兼ねるものとする。【００４１】
図７は、本発明の一実施形態の磁気記録装置の情報記録回路のブロック図である。【００４２】
ここでは、外部から入力されてきた書込み用のデータが図示しない前段回路でライトアンプ１３５に入力する形式のライトデータＷＤＡＴＡに変換されて、その変換後のライトデータＷＲＤＡＴＡがライトアンプ１３５に入力される。このライトアンプ１３１は、Ｉｗ電流源１３２から入力されてきた記録電流を、ライトデータＷＤＡＴＡに従ってその電流の向きを変えて記録ヘッド１３０に流す。この記録ヘッド１３０は、図２に示す磁気ヘッド１３の、書込みを担当する構成部分である。このライトアンプ１３５は、記録ヘッド１３０に記録電流を流すにあたっては、入力されてきたライトデータＷＤＡＴＡデータが、Ｉｗ電流源１３６から供給される電流の電流値であって、かつスルーレート可変回路１３７で決定される立上り速度で立ち上がる記録電流に変換されて記録ヘッド１３０に流される。Ｉｗ電流源１３６およびスルーレート可変回路１３７には、図示しない前段の回路から、回転している磁気記録媒体の、ライトデータＷＡＤＴＡを今回書き込もうとしているトラックの移動速度（この移動速度は、そのトラックの、磁気記録媒体の回転中心からの半径ｒの関数となる）に応じた制御信号ＣＮＴ１，ＣＮＴ２が入力される。Ｉｗ電流源１３６では、制御信号ＣＮＴ１に応じて記録電流の設定値Ｉｗが調整され、スルーレート可変回路１３７では、制御信号ＣＮＴ２に応じて記録電流の立上り速度が調整される。特に、スルーレート可変回路１３７では、その制御信号ＣＮＴ２に応じて、ライトデータＷＤＡＴＡを書き込もうとしているトラックの、回転中心からの半径ｒが大きいほど、すなわち、磁気記録媒体のそのトラックと記録ヘッド１３０との相対速度が大きいほど、記録電流が高速で立ち上るように、記録電流の立上り速度が設定され、調整される。【００４３】
図８は、図７にブロックで示すライトアンプ、Ｉｗ電流源およびスルーレート可変回路の回路図である。【００４４】
図８に示す回路は、プラス電源＋Ｖｃとマイナス電源−Ｖｄとの２電源で動作する回路であり、この回路中Ｈ１は磁気ヘッド１３０のコイル、Ｒ１，Ｒ２は抵抗、Ｄ１，Ｄ２は可変容量ダイオードである。ここで可変容量ダイオードＤ１，Ｄ２は、スルーレート可変回路１３４を構成しており、ダイオード接続されたＮＰＮトランジスタＱ１による抵抗と抵抗Ｒ１と可変容量ダイオードＤ１とで時定数回路が構成され、また同様に、ダイオード接続されたＮＰＮトランジスタＱ２による抵抗と抵抗Ｒ２と可変容量ダイオードＤ２とで時定数回路が構成されており、可変容量ダイオードＤ１，Ｄ２の容量値が制御信号ＣＮＴ２で制御されて時定数が変化し、その時定数に応じた立上り速度の記録電流がコイルＨ１に流れることになる。【００４５】
また、Ｉ１，Ｉ２，Ｉ３，Ｉ４は電流源であり、電流源Ｉ２は制御信号ＣＮＴ１でその電流値が制御される。この電流源Ｉ２を流れる電流の電流値は、コイルＨ１を流れる記録電流の立ち上がり後の電流値であり、この電流源Ｉ２は図７のＩｗ電流源１３２に相当する。この図８に示す残りの回路部分は、可変容量ダイオードＤ１，Ｄ２、電流源Ｉ２とともにライトアンプ１３５を構成している。さらに、この図８に示す回路における、Ｑ１〜Ｑ１０は、いずれもＮＰＮトランジスタであり、それらのＮＰＮトランジスタＱ１〜Ｑ１０のうちの２つのＮＰＮトランジスタＱ１，Ｑ２は、上述したとおり、ダイオード接続されている。また、ＧＮＤは、グランド電位を表わしている。【００４６】
ライトデータＷＤＡＴＡはプラス（＋）とマイナス（−）の相補信号としてこのライトアンプ１３５に入力され、ＷＤＡＴＡ＋がＨレベル、ＷＤＡＴＡ−がＬレベルにある状態から、それとは逆の、ＷＤＡＴＡ＋がＬレベル、ＷＤＡＴＡ−がＨレベルに遷移すると、遷移前ではＮＰＮトランジスタＱ３，Ｑ６，Ｑ１０が遮断状態、ＮＰＮトランジスタＱ４，Ｑ５，Ｑ９が導通状態にあり、その遷移により、それらのＮＰＮトランジスタの状態が反転して、ＮＰＮトランジスタＱ３，Ｑ６，Ｑ１０が導通状態、ＮＰＮトランジスタＱ４，Ｑ５，Ｑ９が遮断状態に遷移する。コイルＨ１には、遷移前は、ＮＰＮトランジスタＱ４、コイルＨ１、ＮＰＮトランジスタＱ９、電流源Ｉ２の連絡で電流が流れ、この遷移により、今度は、ＮＰＮトランジスタＱ３、コイルＨ１、ＮＰＮトランジスＱ１０、電流源Ｉ２を通る経路で電流が流れる。この電流経路が切り替わる際、上記の時定数回路の時定数に応じた立上り（立下りを含む）速度で記録電流の流れの方向が切り替わる。ＷＤＡＴＡ−がＨレベルからＬレベルに遷移するとともにＷＤＡＴＡ＋がＬレベルからＨレベルに遷移する際も同様であり、コイルＨ１を流れる記録電流が、その際に、上記の時定数回路の時定数に応じた立ち上がり速度でさらに反転する。【００４７】
図９は、図８に示す回路の動作を示すタイミングチャートである。【００４８】
相補信号としてのライトデータＷＤＡＴＡ＋，ＷＤＡＴＡ−が図９（ａ），（ｂ）に示すように変化すると、ＮＰＮトランジスタＱ３，Ｑ４のベース電流が図９（ｃ），（ｄ）に示すように、上記の時定数回路の時定数に応じた速度で変化し、立上り速度が図９（ｅ）に示すように調整された記録電流が流れる。【００４９】
図７，図８に示す制御信号ＣＮＴ２の電圧値を変えると、可変容量ダイオードＤ１，Ｄ２の容量が変化し、これにより時定数が変化し、その結果、記録ヘッド１３のコイルＨ１に流れる記録電流の立上り速度が変化する。【００５０】
図１０は、立上り速度を変化させた記録電流を重ねて示した図である。ここにはオーバシュートの小さい記録電流波形が示されている。  可変容量ダイオードＤ１，Ｄ２の容量値を下げると時定数が小さくなり、記録電流の立上り速度が急峻となり、可変容量ダイオードＤ１，Ｄ２の容量値を上げると時定数が大きくなって記録電流の立上り速度が遅くなる。【００５１】
図１１は、記録電流の設定値Ｉｗと立上り速度とを変数としたときの、読出しレベルの電磁変換特性を示した図、図１２は、同じく記録電流の設定値Ｉｗと立上り速度とを変数としたときのオーバライト特性の電磁変換特性を示した図である。【００５２】
図１１，１２は磁気記録媒体と記録ヘッドとの相対速度は固定しておき、一本のカーブは、立上り速度を固定して記録電流Ｉｗを変化させたときのカーブである。すなわち、図１１，１２は、相対速度および立上り速度を固定して記録電流Ｉｗを変化させていったときの、読出しレベル（図１１）およびオーバライト特性値（図１２）を求め、さらに立上り速度を変えて同様のことを繰り返して得られたデータである。【００５３】
図１１の読出しレベルは最大であることが望ましく、図１２のオーバライト特性値は最小であることが望ましい。【００５４】
記録電流の立上り速度を変化させていくと、読出しレベルおよびオーバライト特性との双方について、小さい記録電流Ｉｗで、最適値が存在している。【００５５】
読出しレベルについての最適値とオーバライト特性についての最適値は必ずしも厳密には一致しないが、互いに近くにあり、記録電流はそれら双方の最適値を勘案した値に設定される。またここには、ある１つの相対速度についてのデータのみ示したが、相対速度を変化させると、相対速度が速いほど、記録電流の立上り速度を速めた方が、小さい記録電流で最適値が得られる。【００５６】
このように、記録電流の立上り速度を相対速度に応じて最適に調整すると、小さい記録電流で大きな読出しレベルおよび低いオーバライト特性を得ることができ、また記録電流が小さくて済むことからサイドイレーズも抑えられ、再生ヘッドのクロストークによる再生ヘッドの劣化も抑えられる。
【図１】
2008126194.tif 000003
【図２】
2008126194.tif 000004
【図３】
2008126194.tif 000005
【図４】
2008126194.tif 000006
【図５】
2008126194.tif 000007
【図６】
2008126194.tif 000008
【図７】
2008126194.tif 000009
【図８】
2008126194.tif 000010
【図９】
2008126194.tif 000011
【図１０】
2008126194.tif 000012
【図１１】
2008126194.tif 000013
【図１２】
2008126194.tif 000014
【国際調査報告】
2008126194.tif 000015
2008126194.tif 000016
2008126194.tif 000017
2008126194.tif 000018